(57)【要約】【課題】  紙詰まり処理の容易化を図る。【解決手段】  下部フレーム３と上部フレーム４を回動可能な複数のリンク体１６、１６、・・・を介して連結すると共に該複数のリンク体の回動動作によって上部フレームを下部フレームに対して筐体２の内部を閉塞する閉塞位置と筐体の内部を開放する開放位置との間で移動可能とし、開放位置において下部フレームと上部フレームの間に筐体の内部に連通する複数の開口２１、２２を形成するようにした。【選択図】図１２
2007030397.tif 000002
【特許請求の範囲】
【請求項１】
下部フレームと上部フレームが連結されて構成された筐体内に印画シートを搬送するシート搬送機構と印画シートに印画を行う印画ヘッドとが配置されたプリンターであって、
下部フレームと上部フレームが回動可能な複数のリンク体を介して連結されると共に該複数のリンク体の回動動作によって上部フレームが下部フレームに対して筐体の内部を閉塞する閉塞位置と筐体の内部を開放する開放位置との間で移動可能とされ、
開放位置において下部フレームと上部フレームの間に筐体の内部に連通する複数の開口が形成されるようにした
ことを特徴とするプリンター。
【請求項２】
開放位置において上部フレームを下部フレームに対して水平な状態で位置させるようにした
ことを特徴とする請求項１に記載のプリンター。
【請求項３】
リンク体と下部フレームを連結する付勢バネを設け、
リンク体の回動範囲における所定の位置を基準として、上部フレームが開放位置へ向けて移動されたときに付勢バネによって上部フレームを開放位置へ付勢し上部フレームが閉塞位置へ向けて移動されたときに付勢バネによって上部フレームを閉塞位置へ付勢するようにした
ことを特徴とする請求項１に記載のプリンター。
【請求項４】
リンク体に、下部フレームに対するリンク体の回動を規制し上部フレームを開放位置に保持する回動規制ピンを設けた
ことを特徴とする請求項１に記載のプリンター。
【請求項５】
上部フレームの自重によって下部フレームに対するリンク体の回動支点を基準としてリンク体に発生する回転モーメントが、上部フレームの開放位置において水平方向よりも下方を向く方向に生じるようにした
ことを特徴とする請求項１に記載のプリンター。
【発明の詳細な説明】
【技術分野】
【０００１】
本発明はプリンターに関する。詳しくは、上部フレームが下部フレームに対して開放された開放位置において筐体の内部に連通する複数の開口を形成して紙詰まり処理の容易化を図る技術分野に関する。
【背景技術】
【０００２】
印画紙や印画フィルム等の印画シートに熱転写やレーザー等により印画するプリンターがある。このようなプリンターにあっては、例えば、筐体内に印画シートを搬送するシート搬送機構と印画シートに印画を行う印画ヘッドとが配置され、筐体に装着されたシート収納ケースから引き出された印画シートをシート搬送機構によって搬送すると共に印画ヘッドによって印画シートに印画を行うようにしたものがある。
【０００３】
プリンターにおいては、一般に、シート搬送機構による印画シートの搬送時に、例えば、印画シートに折れや曲がり等が生じていると、シート搬送機構の各部に印画シートが詰まってしまう所謂紙詰まり（ジャミング）が生じ、シート搬送機構の搬送動作に支障を来たすことがある。
【０００４】
従来のプリンターにあっては、筐体が下部フレームと該下部フレームの後端部にヒンジ部を介して回動可能に連結された上部フレームとによって構成され（例えば、特許文献１参照）、上記のような紙詰まりが生じたときには、上部フレームの前端部を持ち上げて下部フレームに対して回動して下部フレームの前面部と上部フレームの前面部との間に筐体の内部に連通する開口を形成し、該開口から筐体の内部に手を挿入して紙詰まりの処理を行っていた。
【０００５】
【特許文献１】特開２００３−９４６７５号公報
【発明の開示】
【発明が解決しようとする課題】
【０００６】
ところが、上記した従来のプリンターにあっては、紙詰まりの処理を行うために手を挿入する開口が１箇所であり、紙詰まりの箇所によっては紙詰まりの処理を行い難いと言う問題があった。特に、上部フレームが下部フレームに対して開かれたときに筐体内に形成された空間は、奥側へ行くほど狭くなるため、紙詰まり箇所が奥側の場合には紙詰まりの処理の実行が困難である。
【０００７】
そこで、本発明プリンターは、上記した問題点を克服し、紙詰まり処理の容易化を図ることを課題とする。
【課題を解決するための手段】
【０００８】
本発明プリンターは、上記した課題を解決するために、下部フレームと上部フレームを回動可能な複数のリンク体を介して連結すると共に該複数のリンク体の回動動作によって上部フレームを下部フレームに対して筐体の内部を閉塞する閉塞位置と筐体の内部を開放する開放位置との間で移動可能とし、開放位置において下部フレームと上部フレームの間に筐体の内部に連通する複数の開口を形成するようにしたものである。
【０００９】
従って、本発明プリンターにあっては、開放位置において筐体の内部に複数箇所からの手の挿入が可能となる。
【発明の効果】
【００１０】
本発明プリンターは、下部フレームと上部フレームが連結されて構成された筐体内に印画シートを搬送するシート搬送機構と印画シートに印画を行う印画ヘッドとが配置されたプリンターであって、下部フレームと上部フレームが回動可能な複数のリンク体を介して連結されると共に該複数のリンク体の回動動作によって上部フレームが下部フレームに対して筐体の内部を閉塞する閉塞位置と筐体の内部を開放する開放位置との間で移動可能とされ、開放位置において下部フレームと上部フレームの間に筐体の内部に連通する複数の開口が形成されるようにしたことを特徴とする。
【００１１】
従って、筐体の内部において紙詰まりが生じたときに、複数の何れの開口からも手を挿入して紙詰まりの処理を行うことができ、紙詰まりの処理の容易化を図ることができる。
【００１２】
請求項２に記載した発明にあっては、開放位置において上部フレームを下部フレームに対して水平な状態で位置させるようにしたので、均等かつ十分な大きさを有する複数の開口を形成することが可能であり、紙詰まりの処理の容易化を図ることができる。
【００１３】
請求項３に記載した発明にあっては、リンク体と下部フレームを連結する付勢バネを設け、リンク体の回動範囲における所定の位置を基準として、上部フレームが開放位置へ向けて移動されたときに付勢バネによって上部フレームを開放位置へ付勢し上部フレームが閉塞位置へ向けて移動されたときに付勢バネによって上部フレームを閉塞位置へ付勢するようにしたので、上部フレームを開放位置及び閉塞位置に確実に保持することができる。
【００１４】
請求項４に記載した発明にあっては、リンク体に、下部フレームに対するリンク体の回動を規制し上部フレームを開放位置に保持する回動規制ピンを設けたので、簡単な構成によって上部フレームを閉塞位置と開放位置に保持することができ、機構の簡素化を図ることができる。
【００１５】
請求項５に記載した発明にあっては、上部フレームの自重によって下部フレームに対するリンク体の回動支点を基準としてリンク体に発生する回転モーメントが、上部フレームの開放位置において水平方向よりも下方を向く方向に生じるようにしたので、開放位置において上部フレームを保持する機構を特に必要とせず、その分、部品点数の削減及び製造コストの低減を図ることができる。
【発明を実施するための最良の形態】
【００１６】
以下に、本発明プリンターの実施の形態を添付図面を参照して説明する。
【００１７】
以下に示した実施の形態は、本発明プリンターを、例えば、病院内で使用され、コンピューター断層撮影（ＣＴ）された画像データーを印画ヘッドを用いて印画フィルム（印画シート）に印画するインクジェットプリンターに適用したものである。尚、本発明の適用範囲はインクジェットプリンターに限られることはなく、ドットインパクトプリンター、サーマル（熱転写）プリンター、レーザープリンター等の他の各種のプリンターにも広く適用することができる。
【００１８】
プリンター１は、筐体２に所要の各部が配置されて成り、筐体２は下部フレーム３と該下部フレーム３に対して開閉可能な上部フレーム４とから成る（図１参照）。
【００１９】
下部フレーム３は机やテーブル等の載置台に載置され、上方に開口された浅い略箱状を為す下パネル５と該下パネル５上に配置されるベースシャーシ６とを有している。ベースシャーシ６には下パネル５が取り付けられ、図２に示すように、ベースシャーシ６は底面部６ａと該底面部６ａの左右両側縁からそれぞれ上方へ突出された側面部６ｂ、６ｂとを有している。ベースシャーシ６には上方へ突出された４つのバネ掛け片６ｃ、６ｃ、・・・が設けられている。
【００２０】
ベースシャーシ６の左右両端部にはそれぞれサイドシャーシ７、７が配置されている。サイドシャーシ７、７には後述するシート搬送機構等に駆動力を付与する図示しない駆動機構等が配置されている。
【００２１】
サイドシャーシ７、７間にはベースシャーシ６の前後方向における略中央部にシート搬送機構８が配置されている。シート搬送機構８には印画シートを所定の経路で搬送するための複数の送りローラー８ａ、８ａ、・・・が設けられている。
【００２２】
サイドシャーシ７、７間にはシート搬送機構８の奥側（後方）に、反転ローラー９、９、・・・が回転自在に支持されている。反転ローラー９、９、・・・は左右に延びる回転軸１０に左右に離隔して取り付けられ、前方から搬送された印画シートを反転して再び前方へ搬送する機能を有している。
【００２３】
上部フレーム４は下方に開口された略箱状を為す上パネル１１と該上パネル１１内に配置されるフレームシャーシ１２とを有している（図１乃至図４参照）。
【００２４】
上パネル１１は本体部１１ａと該本体部１１ａに開閉自在に支持された蓋部１１ｂとを有している。蓋部１１ｂは本体部１１ａの後方に位置され、前端部が本体部１１ａと図示しないヒンジ部を介して連結され、該ヒンジ部を支点として本体部１１ａに対して回動されて開閉される。
【００２５】
フレームシャーシ１２には上パネル１１が取り付けられ、図３及び図４に示すように、フレームシャーシ１２は天面部１２ａと該天面部１２ａの左右両側縁からそれぞれ下方へ突出された側面部１２ｂ、１２ｂとを有している。
【００２６】
フレームシャーシ１２の内部には吐出面が下方を向く印画ヘッド１３が設けられている（図２参照）。印画ヘッド１３は吐出面に多数のインク吹出口がライン状に形成された所謂ラインヘッドである。印画ヘッド１３は上部フレーム４に対して上下方向へ移動可能とされている。
【００２７】
フレームシャーシ１２の内部には印画ヘッド１３の前方にヘッドクリーナー１４が設けられている。ヘッドクリーナー１４は印画ヘッド１３のインク吹出口の目詰まりを解消する機能を有し、上部フレーム４に対して前後方向へ移動可能とされている。
【００２８】
プリンター１における印画ヘッド１３のクリーニングは、図５及び図６に示すように、ヘッドクリーナー１４と印画ヘッド１３が前後に並んで位置されている状態（図５参照）から、印画ヘッド１３が上方へ移動されたときに、ヘッドクリーナー１４が前後へ往復移動され該ヘッドクリーナー１４の上面に形成されたクリーナー面が印画ヘッド１３の吐出面に摺接することにより行われる（図６参照）。クリーニングは、ヘッドクリーナー１４が前方へ移動された状態において印画ヘッド１３が下方へ移動されることにより終了する（図５参照）。
【００２９】
下部フレーム３と上部フレーム４が連結され筐体２が構成された状態において、該筐体２には前方に開口された装着凹部２ａが形成される（図１参照）。装着凹部２ａには収納トレイ１５が装着される。収納トレイ１５は上方に開口する箱状に形成されたシート収納ケース１５ａと該シート収納ケース１５ａの開口を閉塞するカバー１５ｂとから成る。カバー１５ｂの上面は印画されて筐体２から排出される印画シートを受け取る受取部として機能する。
【００３０】
印画シートが収納された収納トレイ１５が装着凹部２ａに装着された状態において、印画動作が開始されると、収納トレイ１５から印画シートが筐体２の内部に引き込まれる（図７に印画シートの搬送経路を矢印で示す。）。印画シートが筐体２の内部に引き込まれると、引き込まれた印画シートは搬送機構８によって、その下方側の経路を後方へ搬送される。後方へ搬送された印画シートは反転ローラー９、９、・・・によって反転され前方へ送られる。
【００３１】
前方へ送られた印画シートは印画ヘッド１３と搬送機構８との間の経路を通り、このとき印画ヘッド１３によって印画シートに対して印画が行われる。印画が行われた印画シートは搬送機構８によって収納トレイ１５の上面に形成された受取部まで前方へ搬送される。
【００３２】
上部フレーム４は下部フレーム３と、例えば、４つのリンク体１６、１６、・・・によって連結されている。尚、リンク体１６、１６、・・・の数は４つに限られることはなく、複数であれば任意である。リンク体１６、１６、・・・は、例えば、２つずつが下部フレーム３と上部フレーム４の側面側において前後に離隔して位置されている。
【００３３】
リンク体１６は、図８に示すように、アーム板１７と該アーム板１７の長手方向における両端部からそれぞれ側方へ突出された第１の回動軸１８、第２の回動軸１９とを有している。
【００３４】
リンク体１６は、第１の回動軸１８が下部フレーム３の側面部６ｂに連結され、第２の回動軸１９が上部フレーム４の側面部１２ｂの下端部に連結されている。リンク体１６は、例えば、第１の回動軸１８及び第２の回動軸１９がアーム板１７に固定され、第１の回動軸１８が下部フレーム３に対して回転可能とされ、第２の回動軸１９が上部フレーム４と互いに回転可能に連結されている。
【００３５】
アーム板１７にはそれぞれ側方へ突出された第１の回動規制ピン１７ａと第２の回動規制ピン１７ｂが設けられている。第１の回動規制ピン１７ａと第２の回動規制ピン１７ｂは、それぞれ第１の回動軸１８と第２の回動軸１９の近傍に位置されている。アーム板１７には第１の回動規制ピン１７ａと第２の回動規制ピン１７ｂの間の位置にバネ掛け突部１７ｃが設けられている。
【００３６】
リンク体１６は第１の回動規制ピン１７ａと第２の回動規制ピン１７ｂがそれぞれ下部フレーム３の側面部６ｂの上縁に接することにより下部フレーム３に対する回動が規制され、第１の回動規制ピン１７ａが側面部６ｂに接した状態において上部フレーム４が下部フレーム３に対して開放される後述する開放位置に至り、第２の回動規制ピン１７ｂが側面部６ｂに接した状態において上部フレーム４が下部フレーム３に対して閉塞される後述する閉塞位置に至る。
【００３７】
アーム板１７のバネ掛け突部１７ｃと下部フレーム３のバネ掛け片６ｃとの間には付勢バネ２０が支持されている。付勢バネ２０は、例えば、引張コイルバネである。
【００３８】
以下に、上部フレーム４の下部フレーム３に対する開閉動作について説明する（図９乃至図１１参照）。
【００３９】
上部フレーム４が移動範囲における下方側の移動端にある状態、即ち、閉塞位置においては、図９に示すように、リンク体１６の第２の回動軸１９が第１の回動軸１８の略後方に位置され、第２の回動規制ピン１７ｂが側面部６ｂに接している。このとき付勢バネ２０は第１の回動軸１８の下側に位置されており、付勢バネ２０の付勢力Ｆ１によって、リンク体１６に上部フレーム４を開放位置から閉塞位置へ移動させる方向（図９に示すＲ１）への第１の回動軸１８を中心とした回転モーメントＭ１が生じている。
【００４０】
また、閉塞位置においては、図９に示すように、第２の回動軸１９が第１の回動軸１８より後方に位置される。従って、第２の回動軸１９に作用する上部フレーム４の自重成分Ｇによって、リンク体１６に上部フレーム４を開放位置から閉塞位置へ移動させる方向（図９に示すＲ１）への第１の回動軸１８を中心とした回転モーメントＭｇが生じる。
【００４１】
従って、リンク体１６の第１の回動軸１８は、付勢バネ２０の付勢力Ｆ１に基づく回転モーメントＭ１及び上部フレーム４の自重成分Ｇに基づく回転モーメントＭｇによって、側面部６ｂに押し付けられた状態で接触され、上部フレーム４を閉塞位置に確実に保持することができる。
【００４２】
閉塞位置において上部フレーム４を把持して持ち上げていくと、リンク体１６が下部フレーム３に対して回動されて上部フレーム４が水平状態を保ったまま開放位置へ向けて移動される。上部フレーム４が開放位置に至る途中の状態において、付勢バネ２０が第１の回動軸１８の側方において一致される位置となる（図１０参照）。この状態においては、付勢バネ２０の付勢力Ｆの作用方向と、第１の回動軸１８とリンク体１６のバネ掛け突部１７ｃとを結ぶ方向とが一致されるため、リンク体１６には第１の回動軸１８を中心とした回転モーメントが生じない。
【００４３】
上部フレーム４を図１０の状態からさらに持ち上げていくと、リンク体１６が下部フレーム３に対してさらにＲ２方向へ回動されて上部フレーム４が水平状態を保ったまま開放位置へ向けて移動される。このとき付勢バネ２０は第１の回動軸１８の上側に位置されており、付勢バネ２０の付勢力Ｆ２によって、リンク体１６に上部フレーム４を閉塞位置から開放位置へ移動させる方向（図１１に示すＲ２）への第１の回動軸１８を中心とした回転モーメントＭ２が生じる。
【００４４】
また、開放位置においては、図１１に示すように、第２の回動軸１９が第１の回動軸１８より前方に位置される。従って、第２の回動軸１９に作用する上部フレーム４の自重成分Ｇによって、リンク体１６に水平方向よりも下方を向くベクトルを有する回転モーメント、即ち、上部フレーム４を閉塞位置から開放位置へ移動させる方向（図１１に示すＲ２）への第１の回動軸１８を中心とした回転モーメントＭｇが生じる。
【００４５】
従って、開放位置においては、リンク体１６の第１の回動軸１８は、付勢バネ２０の付勢力Ｆ２に基づく回転モーメントＭ２及び上部フレーム４の自重成分Ｇに基づく回転モーメントＭｇによって、側面部６ｂに押し付けられた状態で接触され、上部フレーム４を開放位置に確実に保持することができる。
【００４６】
尚、上記したように、上部フレーム４は、閉塞位置において回転モーメントＭ１、Ｍｇによって保持され、開放位置において回転モーメントＭ２、Ｍｇによって保持されるため、閉塞位置及び開放位置において上部フレーム４を保持する機構を特に必要とせず、その分、部品点数の削減及び製造コストの低減を図ることができる。
【００４７】
また、上部フレーム４の閉塞位置と開放位置における保持は、それぞれリンク体１６のアーム板１７に設けられた第１の回動規制ピン１７ａと第２の回動規制ピン１７ｂによって行われるため、簡単な構成によって上部フレーム４が閉塞位置と開放位置に保持され、機構の簡素化を図ることができる。
【００４８】
開放位置においては、上部フレーム４が水平状態で下部フレーム３に対して上昇された状態となるため、下部フレーム３と上部フレーム４の間に、前方側と後方側の２箇所に筐体２の内部に連通する開口２１、２２が形成される（図１２参照）。従って、筐体２の内部において紙詰まりが生じたときには、上記のように上部フレーム４を開放位置に移動させ、開口２１及び開口２２の何れからも手を挿入して紙詰まりの処理を行うことができ、紙詰まりの処理の容易化を図ることができる。
【００４９】
特に、紙詰まりは筐体２の内部における後方側に位置する反転ローラー９、９、・・・においても生じ易いが、開放位置において後方側に開口２２が形成されるため、反転ローラー９、９、・・・において生じる紙詰まりをも容易に処理することが可能である。
【００５０】
尚、プリンター１にあっては、開放位置において上部フレーム４が下部フレーム３に対して水平な状態で位置されるため、均等かつ十分な大きさを有する開口２１、２２を形成することが可能であり、紙詰まりの処理の容易化を図ることができる。
【００５１】
また、上部フレーム４の上パネル１１に、本体部１１ａに開閉自在に支持された蓋部１１ｂが設けられているため、開放位置及び閉塞位置において蓋部１１ｂを開放することにより紙詰まりの処理を行うことが可能である。特に、開放位置において蓋部１１ｂを開放することにより、開口２２の大きさが大きくなり（図１３参照）、紙詰まりの処理の一層の容易化を図ることができる。
【００５２】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００５３】
【図１】図２乃至図１３と共に本発明プリンターの最良の形態を示すものであり、本図は、プリンターの全体を示す概略斜視図である。
【図２】下パネルを省略して下部フレームと上部フレームを分離して示す概略斜視図である。
【図３】上部フレームが閉塞位置にある状態を上パネルと下パネルを省略して示す概略斜視図である。
【図４】上部フレームが開放位置にある状態を上パネルと下パネルを省略して示す概略斜視図である。
【図５】ヘッドクリーナーによるクリーニングが行われていない状態を示す概念図である。
【図６】ヘッドクリーナーによるクリーニングが行われている状態を示す概念図である。
【図７】印画シートの搬送経路を内部構成とともに一部を断面にして示す概略側面図である。
【図８】要部の拡大斜視図である。
【図９】図１０及び図１１と共にリンク体の動作を示すものであり、本図は、上部フレームが閉塞位置にあるときの状態を示す拡大側面図である。
【図１０】リンク体が回動されている途中の状態を示す拡大側面図である。
【図１１】上部フレームが開放位置にあるときの状態を示す拡大側面図である。
【図１２】上部フレームが開放位置にあるときの状態を内部構成とともに一部を断面にして示す概略側面図である。
【図１３】上部フレームが開放位置にあるときに蓋部が開放された状態を内部構成とともに一部を断面にして示す概略側面図である。
【符号の説明】
【００５４】
１…プリンター、２…筐体、３…下部フレーム、４…上部フレーム、８…シート搬送機構、１３…印画ヘッド、１６…リンク体、１７ａ…第１の回動規制ピン、２０…付勢バネ、２１…開口、２２…開口
【図１】
2007030397.tif 000003
【図２】
2007030397.tif 000004
【図３】
2007030397.tif 000005
【図４】
2007030397.tif 000006
【図５】
2007030397.tif 000007
【図６】
2007030397.tif 000008
【図７】
2007030397.tif 000009
【図８】
2007030397.tif 000010
【図９】
2007030397.tif 000011
【図１０】
2007030397.tif 000012
【図１１】
2007030397.tif 000013
【図１２】
2007030397.tif 000014
【図１３】
2007030397.tif 000015